(57)【要約】【課題】１０キーに代表される数字キーを用いたＷＥＢブラウザの簡易操作方法によって容易な操作によるＷＥＢサイト閲覧を可能とする。【解決手段】ＷＥＢサーバからＨＴＭＬファイルを取得し、アンカータグ検出手段によりアンカータグを検出し、アンカータグ出現順に、例えば、１〜１０までの操作用の数字を付す。数字は表示中のＨＴＭＬにおけるアンカータグが示すアンカー近傍に表示する。ユーザは、リモコン４によって操作を所望するアンカーの近傍の操作用の数字に該当するリモコン４の数字のキーを押すことで、当該アンカーを操作することができる。アンカータグの数がリモコン４の数字キーの数を超える場合は、カーソルキーを用いて操作用の数字を移動させることで、初期状態において操作用の数字が表示されていないアンカータグに操作用の数字を表示させることができる。【選択図】図１
2009169883.tif 000002
【特許請求の範囲】
【請求項１】
ネットワークを介してＷＥＢサーバとデータの送受信を行うネットワーク接続部、制御部と、少なくとも所定の数の数字キーとカーソルキーからなる操作部と、データの表示を行う表示部を有する表示装置によって動作し、マークアップ言語によって記述される複数種類のタグにより構成されるファイルを解析する解析手段と、該ファイルの示す情報を表示部に表示を行う表示手段とからなるＷＥＢブラウザであって、
前記ネットワーク接続部を介してＷＥＢサーバから取得した前記ファイル内に記載される複数種類のタグから特定のタグのみを抽出し、各々の特定のタグが含有する属性情報、及び当該特定のタグの文字列を一覧化し、前記数字キーと抽出された特定のタグの紐付けを行うためのテーブルたるテンポラリテーブルを作成するためのテンポラリテーブル作成手段と、
前記操作キーを押すことにより、前記操作キーに紐付けされた前記特定のタグを動作させるタグ実行手段とを備え、
前記特定のタグの総数が前記数字キーの数よりも多い場合、ユーザのカーソルキーの操作によって前記テンポラリテーブルに格納された特定のタグと前記数字キーの紐付けを変更する操作タグ変更手段を備えたことを特徴とするＷＥＢブラウザ。
【請求項２】
前記表示手段は、前記ファイル内に記載のマークアップ言語が示すとおりに表示部に表示すると共に、表示されたファイルにおける前記数字キーと紐付けされた特定のタグの近傍に前記数字キーが示すものと同じ数字を表示することを特徴とする請求項１項記載のＷＥＢブラウザ。
【請求項３】
前記表示手段は、前記テンポラリテーブルから前記特定のタグに関連する情報を一覧表として表示部に表示を行い、当該一覧表に基づいてユーザが操作することが可能なことを特徴とする請求項１記載のＷＥＢブラウザ
【請求項４】
前記操作手段はリモコンであることを特徴とする請求項１から３の何れか１項記載のＷＥＢブラウザ。
【請求項５】
前記表示装置は携帯電話であり、前記数字キーは携帯電話の１０キーであることを特徴とする請求項１から３の何れか１項記載のＷＥＢブラウザ。
【発明の詳細な説明】
【技術分野】
【０００１】
本発明は、複雑な操作手段ではなく、１０キーやリモコンなどの比較的容易に操作可能な数字キーによる操作を可能とするＷＥＢブラウザの簡易操作方法に関する。
【背景技術】
【０００２】
従来、インターネットに接続してＷＥＢサイトの閲覧を行うにはパーソナルコンピュータ（以下パソコンと称呼する）がその主流であったが、近年、テレビジョン受像機や携帯電話等の家電製品の機能拡充により、ＷＥＢサイトの閲覧は様々な電子機器によって行われるようになっている。しかしながら、元来パソコンによって閲覧することが主流であったため、パソコンの操作、即ちキーボードとマウスを用いた操作によって閲覧をすることが前提で構築されたＷＥＢサイトも多数あり、パソコンと比較して乏しい操作手段しか備えることの出来ないテレビジョン受像機等では閲覧することが困難な場合があった。
【０００３】
特許文献１では、ＷＥＢサイトのＨＴＭＬファイルに選択項目に対する定義事項を埋め込み、ＨＴＭＬファイル表示の際に、当該定義事項に基づいて選択項目近傍に数字や記号を重畳表示させ、数字や記号に該当するリモコンのキーを操作することで選択項目の操作を可能とする方法が開示されている。
【０００４】
また、特許文献２では、インターネット閲覧可能な電子機器においても操作を容易に行うために、電子機器と接続して用いる、携帯電話のユーザインタフェースを備えた入力装置を開示している。
【０００５】
【特許文献１】特開平１０−９８６５４号公報
【特許文献２】特願２０００−３４９８７８号公報
【発明の開示】
【発明が解決しようとする課題】
【０００６】
しかしながら、特許文献１の方式によると、拡張区別コードをＨＴＭＬに埋め込み、これに基づいて数字や記号を重畳表示するため、従来からあるＷＥＢサイトにこの方式を適用したとしても、正しく数字や記号が表示できない可能性が高い。また、リモコンの数字キーや記号キーの数が、操作対象の上限となるため、複雑多岐に渡るＷＥＢサイトの構成によってはリモコンによる操作ができない項目が出現する可能性がある。また、特許文献２の入力装置は、具体的なＷＥＢサイト閲覧の際のブラウザ及び入力装置の操作方法に言及しておらず、携帯電話によるＷＥＢサイトの閲覧の際の操作方法をそのまま電子機器に用いることを主たる目的としているため、その操作性は携帯電話による閲覧の際のそれとほぼ同じものとなる。また、電子機器のほかに当該入力装置を必要とするため、ユーザがそれを使用する際の導入コストが嵩んでしまい高価となってしまう虞があった。
【０００７】
本発明は上記課題を鑑みてなされたものであり、一般に普及しているパソコン、テレビジョン受像機、携帯電話のハードウェア構成、及びＷＥＢサイトにおけるＨＴＭＬ等の記述方法を変更することなく、ＷＥＢサイトの閲覧の際の操作方法を簡略かすることが可能なＷＥＢブラウザの簡易操作方法を提供することを目的とする。
【課題を解決するための手段】
【０００８】
請求項１に係るＷＥＢブラウザは、ネットワークを介してＷＥＢサーバとデータの送受信を行うネットワーク接続部、制御部と、少なくとも所定の数の数字キーとカーソルキーからなる操作部と、データの表示を行う表示部を有する表示装置によって動作し、マークアップ言語によって記述される複数種類のタグにより構成されるファイルを解析する解析手段と、該ファイルの示す情報を表示部に表示を行う表示手段とからなるＷＥＢブラウザであって、
前記ネットワーク接続部を介してＷＥＢサーバから取得した前記ファイル内に記載される複数種類のタグから特定のタグのみを抽出し、各々の特定のタグが含有する属性情報、及び当該特定のタグの文字列を一覧化し、前記数字キーと抽出された特定のタグの紐付けを行うためのテーブルたるテンポラリテーブルを作成するためのテンポラリテーブル作成手段と、
前記操作キーを押すことにより、前記操作キーに紐付けされた前記特定のタグを動作させるタグ実行手段とを備え、
前記特定のタグの総数が前記数字キーの数よりも多い場合、ユーザのカーソルキーの操作によって前記テンポラリテーブルに格納された特定のタグと前記数字キーの紐付けを変更する操作タグ変更手段を備えたことを特徴とする。
【０００９】
請求項１の構成によれば、例えば、ＨＴＭＬファイルを閲覧する際に、リモコン等の操作部が有する数字キーに対応した数字がアンカータグに付与され、数字に対応した数字キーを押下ことによって操作を行うことができるようなＷＥＢブラウザにおいて、アンカータグの数が数字キーよりも多いような場合、数字キーに対応したアンカータグを移動・変更することで、初期表示状態において数字が付与されてアンカータグであってもリモコンや１０キーを用いてＷＥＢサイトの閲覧における動作を行うことができる。
【００１０】
請求項２に係るＷＥＢブラウザは、請求項１記載のＷＥＢブラウザにおいて、前記表示手段は、前記ファイル内に記載のマークアップ言語が示すとおりに表示部に表示すると共に、表示されたファイルにおける前記数字キーと紐付けされた特定のタグの近傍に前記数字キーが示すものと同じ数字を表示することを特徴とする請求項１項記載のＷＥＢブラウザ。
【００１１】
請求項２の構成によれば、数字キーと紐付けられた特定のタグの近傍に数字キーに該当する数字を表示することができ、操作性が向上する。
【００１２】
請求項３に係るＷＥＢブラウザは、請求項１項記載のＷＥＢブラウザの簡易操作方法において、前記表示手段は、前記テンポラリテーブルから前記特定のタグに関連する情報を一覧表として表示部に表示を行い、当該一覧表に基づいてユーザが操作することが可能なことを特徴とする請求項１記載のＷＥＢブラウザ
【００１３】
請求項３の構成によれば、ＷＥＢブラウザはＨＴＭＬによって記述されたファイルを、特定のタグのみ抽出して一覧表示可能であり、例えばＨＴＭＬファイルに記載されるアンカータグを抽出して数字キーに該当する数字の付与を行うことができる。
【００１４】
請求項４に係るＷＥＢブラウザの簡易操作方法は、請求項１から３の何れか１項記載のＷＥＢブラウザの簡易操作方法において、前記操作手段はリモコンであることを特徴とする。
【００１５】
請求項４の構成によれば、表示装置を介してＷＥＢブラウザを操作するにあたり、１０キーを有するリモコンによってこれを行うことができる。
【００１６】
請求項５に係るＷＥＢブラウザの簡易操作方法は、請求項１から５の何れか１項記載のＷＥＢブラウザの簡易操作方法において、前記表示装置は携帯電話であり、前記数字キーは携帯電話の１０キーであることを特徴とする。
【００１７】
請求項５の構成によれば、携帯電話に搭載されるＷＥＢブラウザに本発明を適用し、ＷＥＢページ閲覧の際、特定のタグの操作を数字キーによって行うことができる。
【発明の効果】
【００１８】
請求項１に係るＷＥＢブラウザは、ネットワークを介してＷＥＢサーバとデータの送受信を行うネットワーク接続部、制御部と、少なくとも所定の数の数字キーとカーソルキーからなる操作部と、データの表示を行う表示部を有する表示装置によって動作し、マークアップ言語によって記述される複数種類のタグにより構成されるファイルを解析する解析手段と、該ファイルの示す情報を表示部に表示を行う表示手段とからなるＷＥＢブラウザであって、
前記ネットワーク接続部を介してＷＥＢサーバから取得した前記ファイル内に記載される複数種類のタグから特定のタグのみを抽出し、各々の特定のタグが含有する属性情報、及び当該特定のタグの文字列を一覧化し、前記数字キーと抽出された特定のタグの紐付けを行うためのテーブルたるテンポラリテーブルを作成するためのテンポラリテーブル作成手段と、
前記操作キーを押すことにより、前記操作キーに紐付けされた前記特定のタグを動作させるタグ実行手段とを備え、
前記特定のタグの総数が前記数字キーの数よりも多い場合、ユーザのカーソルキーの操作によって前記テンポラリテーブルに格納された特定のタグと前記数字キーの紐付けを変更する操作タグ変更手段を備えたので、キーボードやマウスといった複雑な操作方法ではなく、１０キー等の数字キーによってＷＥＢサイトにアクセスして表示されるＨＴＭＬ等のＷＥＢページの操作を行うことができ、更に、ページ上に数字キー以上の選択・動作可能項目があった場合でも、数字キーの紐付けを変更させることができるので、全ての選択・動作可能項目において数字キーによる選択・動作が可能となり、幅広い年代においてもＷＥＢサイト閲覧を容易に行うことが可能となる。
【００１９】
請求項２に係るＷＥＢブラウザは、請求項１記載のＷＥＢブラウザにおいて、前記表示手段は、前記ファイル内に記載のマークアップ言語が示すとおりに表示部に表示すると共に、表示されたファイルにおける前記数字キーと紐付けされた特定のタグの近傍に前記数字キーが示すものと同じ数字を表示するので、ある特定のタグ又は特定のタグが示すオブジェクトがどの数字キーを押すことで選択・動作させることができるのかを一瞥して視認することができる。
【００２０】
請求項３に係るＷＥＢブラウザは、請求項１記載のＷＥＢブラウザにおいて、前記表示手段は、前記テンポラリテーブルから前記特定のタグに関連する情報を一覧表として表示部に表示を行い、当該一覧表に基づいてユーザが操作することが可能なので、閲覧中のサイトにおいて情報量が多く、何れの項目が選択・動作可能なのか判別が付き難いような状況においても、表示する情報を特定のタグに関する情報に絞って一覧表示することが可能であり、操作性の向上が期待できる。
【００２１】
請求項４に係るＷＥＢブラウザの簡易操作方法は、請求項１から３の何れか１項記載のＷＥＢブラウザの簡易操作方法において、前記操作手段はリモコンであるので、テレビジョン受像機やパーソンルコンピュータの操作のために用いられる数字キーを有するリモコンによって、ＷＥＢブラウザの簡易操作が可能となる。
【００２２】
請求項５に係るＷＥＢブラウザの簡易操作方法は、請求項１から３の何れか１項記載のＷＥＢブラウザの簡易操作方法において、前記表示装置は携帯電話であり、前記数字キーは携帯電話の１０キーであるので、携帯電話によってＷＥＢサイトを閲覧する際、１０キーを用いてＷＥＢブラウザの簡易操作を行うことが可能となる。
【発明を実施するための最良の形態】
【００２３】
以下、本発明を実施するための最良の形態としての実施例を図１から図９を参照して説明する。もちろん、本発明は、その発明の趣旨に反さない範囲で、実施例において説明した以外のものに対しても容易に適用可能なことは説明を要するまでもない。
【実施例１】
【００２４】
図１〜図９は、本発明の実施例１を示し、図１は、本発明の実施例１におけるパーソナルコンピュータの構成を示すブロック図である。図２は、パーソナルコンピュータが備えるＷＥＢブラウザを用いてＷＥＢサイトにアクセスする際のＷＥＢブラウザの動作を示すフローチャートである。図３、リモコンの数字キーによりアクセスしたＷＥＢサイトの操作を行う際のＷＥＢブラウザの動作を示すフローチャートである。図４、リモコンのカーソルキーによりＨＴＭＬのアンカータグ近傍に重畳表示される数字を移動させる際のＷＥＢブラウザの動作を示すフローチャートである。
【００２５】
本実施例におけるハードウェアの構成について、図１に基づいて説明する。１はＨＴＭＬファイル及びコンテンツファイルを記憶し、アクセスに応じて各々のファイルの転送を行うＷＥＢサーバである。２は、多数のＷＥＢサーバ１と多数のクライアントたる後述のパソコンを接続する公衆網たるＷＷＷ（Ｗｏｒｌｄ  Ｗｉｄｅ  Ｗｅｂ）である。３はＷＥＢブラウザを代表とする種々のアプリケーションソフトウェアを有するパーソナルコンピュータ（以下パソコンと称呼する）である。パーソナルコンピュータ３は、ネットワークインタフェースたるネットワーク接続部３１、後述のリモコンによる操作信号を受信するためのリモコン受光部３２、データやプログラムの記憶を行うハードディスクドライブ３３（以下ＨＤＤと称呼する）、前述の各部の動作の制御を行う制御部３４、制御部３４の動作のためのデータの一時記憶のためのＲＡＭ３５を有する。１０は表示部であり、パソコン３から出力される映像信号を映像化して表示する。４はリモコンであり、少なくとも所定の数字（本実施例では１〜１２までの数字とする）が振られた操作キーと、上下左右にカーソルを移動させるためのカーソルキーを有し、パソコン３を遠隔操作するためのものである。
【００２６】
ＨＤＤ３３に記憶されるＷＥＢブラウザプログラム３３１（以下、単にブラウザと称呼する）が記憶されている。ブラウザ３３１にはＷＥＢサーバ１にファイルの要求を行うためのリクエスト情報の送信や、記憶されるＨＴＭＬファイルやコンテンツファイルを受信するためのデータ送受信手段３３２と、受信したＨＴＭＬファイルに記述されるタグの解析を行うタグ解析手段３３３と、該タグ解析手段３３３により解析したＨＴＭＬファイルの表示を行うためのＨＴＭＬ表示手段３３４と、ＨＴＭＬファイルに記述されたタグからアンカータグをピックアップするアンカータグ検出手段３３５と、後述のリモコン４によって操作を行うための操作用の数字を変更・移動させるための操作タグ変更手段３３６とを備える。
【００２７】
続いてパソコン３が有するブラウザ３３１の動作について、図２に基づいて説明する。データ送受信手段３３２により、ＷＥＢサーバ１にアクセスし、ＨＴＭＬファイルをダウンロードする（ステップＳ１０１）。ＨＴＭＬファイルに記述されるタグの解析をタグ解析手段にて行う（Ｓ１０２）。解析したタグに基づいてＨＴＭＬファイルを表示部に表示する（Ｓ１０３）。続いて、解析したタグからアンカータグ（＜ａ＞＜／ａ＞によって構成されるタグ）に対して記載順に１から始まるＩＤナンバーを割り当てる（Ｓ１０４）。ループ処理用のカウンタｉを０で初期化し、ＨＴＭＬファイルの先頭からアンカータグをサーチする。このとき、ファイルに存在するアンカータグをリスト化したテンポラリテーブル（後に詳述する）を作成する。（Ｓ１０５）。当該テンポラリテーブルに基づき、テンポラリテーブル先頭に該当する。該アンカータグの操作のためのリモコンの数字キーに対応した数字（以降、操作用の数字と称呼する）としてカウンタｉ＋１を割り当て、カウンタをインクリメントする（Ｓ１０７）。カウンタが所定値（例えば１２）となったかを判別し、所定値に達していない場合は次のアンカータグをサーチする（Ｓ１０９）。ステップＳ１０６においてアンカータグが存在しない場合、若しくはステップＳ１０８においてカウンタが所定値に達した場合、表示中のＨＴＭＬにおいて操作用の数字を割り当てられたアンカータグが示すオブジェクト（アンカータグで囲まれた文字列又は画像、若しくは他のタグが示すオブジェクト）の近傍に、割り当てられた数字を重畳させて表示する（Ｓ１１０）。当然ではあるが、カウンタｉ＝０のままである場合は、アンカータグが１つも存在しないこととなり、操作用の数字の表示を行うことは無い。
【００２８】
続いて、上記操作用の数字が重畳表示された状態でのリモコンによる操作の際のブラウザの動作について、図３に基づいて説明する。リモコン４の数字キーを操作する（Ｓ２０１）。受光部３２によって操作された数字キーを示すコードを受信し、制御部３４により操作された数字キーの数字を判別する（Ｓ２０２）。アンカータグ検出手段３３４により、判別した数字と同じ数字がナンバリングされているアンカータグを検出する（Ｓ２０３）。該当するアンカータグを操作した場合と同様の動作（ｈｒｅｆ属性によって指定されたＵＲＬにアクセスする、若しくは記述されたスクリプトを動作させる）を行う（Ｓ２０４）。以上のような動作を行うことで、ナンバリングされたアンカータグに対して、リモコン４による操作が可能となる。
【００２９】
続いて、リモコン４の数字キーに対応するＨＴＭＬに重畳表示された数字を移動させる際のブラウザの動作について、図４に基づいて説明する。ユーザによりリモコン４が有するカーソルキーが操作される（Ｓ４０１）。アンカータグに振られた操作用の数字を、操作されたカーソルキーの方向に応じて、例えばアンカータグの記載順において、カーソルキーの下が押下されたなら順方向へ、上なら逆方向へ、右なら順方向に所定数、左なら逆方向に所定数といったように、移動させる（Ｓ４０２）。移動させた操作ナンバーに従って、表示中のＨＴＭＬに操作用の数字を再表示させる（Ｓ４０３）。アンカータグが所定数を超えた場合、本実施例では１２個を超えた場合超過した分はリモコンによる操作を行うことができないが、上記の動作によって、これを解決し、数字キーに対応して重畳表示された操作用の数字を移動させることができる。
【００３０】
図５は、ファイルに記述されたＨＴＭＬのソースの例を示す説明図である。図６は、図５に示すＨＴＭＬのソースを基に作成されたテンポラリテーブルの例を示す説明図である。ソースに記述された５０１、５０２、５０３、５１４は別のＵＲＬにジャンプするためのアンカーを表示するためのアンカータグであり、図７に示すアンカー７０１、７０２、７０３、７１４にそれぞれ対応する記述である。５２０はアンカータグ７１４によってネストされるイメージタグであり、図７に示す画像８０１に対応する記述である。このようなＨＴＭＬソースの中からアンカータグ検出手段３３５によって全てのアンカータグとアンカータグでネストされたタグを検出し、図６に示すようなテンポラリテーブルを作成し、ＲＡＭ３５に記憶する。テンポラリテーブルには、アンカータグを一意に識別するために自動的に採番されるＩＤ６０１と、アンカータグによってネストされる文字列６０２、同じくアンカータグによってネストされるタグ６０３、アンカータグによって指し示されるジャンプ先のＵＲＬやスクリプト等が記載されるｈｒｅｆ属性６０４が管理される。
【００３１】
実際の表示例及び動作例として図７〜９に基づいて説明する。図７は、図５に示すソースによって記述されたＨＴＭＬファイルを表示部に表示した状態を示している。７０１〜７２０はアンカータグによって記述されたオブジェクトたるアンカーである。それぞれのアンカーは、動作させることによって別のページを示すＵＲＬにリンクしていたり、又は同じページの所定の箇所にジャンプしたりする。８００〜８０２はイメージタグによって記述されたオブジェクトたる画像である。画像８０１及び８０２はそれぞれアンカー７１４及び７１８にネストされており、同画像をクリックすることでアンカー７１４及び７１８を動作させた場合と同様の動作を行う。図８は、検出したアンカータグに操作用の数字を重畳表示した状態を示しており、９０１〜９１２は操作用の数字を示している。図５に示すＨＴＭＬのソースにおいて、アンカータグの出現順に操作用の数字を１２までナンバリングし、図８のように各アンカータグの近傍に操作用の数字が重畳表示される。このとき、１３番目以降のアンカータグには特別な表示等は行わない。図９は、リモコン４のカーソルキーによって数字を移動させた状態を示している。ＷＥＢブラウザ３３１の操作タグ変更手段３３６はユーザによるカーソルキー操作を検出し、操作用の数字を変更・移動させることにより、初期表示時では操作用の数字が表示されていない「電子投票システム」を示すアンカー７１２に操作用の数字を表示することができる。これにより、リモコン４の数字キーによる操作を全てのアンカータグにて行うことが可能となる。また、操作用の数字の移動は、例えばリモコン４のカーソルキーを右に押し、操作用の数字９０１を、アンカータグ７１２へジャンプさせ、続く操作用の数字９０２以降をアンカータグ７１３以降へ割り当てるといったように、所定数のアンカータグをジャンプさせる方法を併用することで、多量のアンカータグが存在するような場合においても、ユーザは簡易な操作で目的のアンカータグに操作用の数字を割り当てることができる。
【００３２】
上記のような動作を行うブラウザによれば、キーの数が限られるリモコンのような操作手段においても、アンカータグ近傍に表示された操作用の数字に対応するリモコンの数字キーを押すだけで該当アンカーの操作を行い、容易にサイトの閲覧が可能である。また、従来のリモコンによるブラウザの操作方法と異なり、リモコンのキー数よりもアンカータグが多い場合においても、操作用の数字をアンカータグの出現順に移動させることが可能であり、ユーザが操作を所望するアンカータグまで操作用の数字を移動させた後、所望のアンカーの近傍に表示される操作用の数字に該当するリモコンの数字キーを押下することで、所望のアンカータグの操作をリモコンのみで行うことができる。
【実施例２】
【００３３】
次に本発明の実施例２を説明するが、前記実施例１と同一部分には同一符号を付し、重複する部分の説明を省略し、異なる部分についてのみ説明する。図１０はＨＴＭＬを表示する際の実施例１とは別の表示例を示す説明図である。ファイルをＨＴＭＬ表示手段３３４によって表示する際、図１０に示すように、前述のテンポラリテーブルから必要な項目以外を排除してテンポラリテーブルに基づいてＨＴＭＬ表示手段３３５によって表示を行ってもよい。この場合、一覧となったアンカーのリストから所望のアンカーを数字キーによって選択して当該アンカーが示すＵＲＬの表示、若しくはスクリプトの動作等を行わせることができる。この表示方法によれば、ユーザはアンカーの一覧を素早く閲覧し、直感的な操作が可能となる。
【００３４】
以上、本発明の実施例について詳述したが、本発明は前記実施例に限定されるものではなく、本発明の要旨の範囲内で種々の変形実施が可能である。例えば、表示装置をパソコンとし、表示手段を外部モニタとしたが、これに限定せず、本発明のブラウザを、表示手段を筐体内に有するテレビジョン受像機や、表示手段及び操作手段が筐体と一体となるような携帯電話に適用しても何ら問題ない。
【図面の簡単な説明】
【００３５】
【図１】本発明の実施例１における、ＷＥＢブラウザの動作環境の例をを示すブロック図である。
【図２】同上、ＷＥＢブラウザのＨＴＭＬファイル読み込み動作を示すフローチャートである。
【図３】同上、ユーザのリモコンによるＷＥＢサイト閲覧操作の際のＷＥＢブラウザの動作を示すフローチャートである。
【図４】同上、ユーザのリモコンによる操作用の数字の変更・移動操作の際のＷＥＢブラウザの動作を示すフローチャートである。
【図５】同上、ＷＥＢブラウザによって解析されるＨＴＭＬファイルの記述例を示す説明図である。
【図６】同上、テンポラリテーブルの作成例を示す説明図である。
【図７】同上、操作用の数字の重畳表示前のＨＴＭＬ表示画面を示す説明図である。
【図８】同上、操作用の数字を重畳表示させた状態のＨＴＭＬ表示画面を示す説明図である。
【図９】同上、操作用の数字を初期状態の位置から移動させたＨＴＭＬ表示画面の例を示す説明図である。
【図１０】本発明の実施例２における、リモコンを用いた操作のための専用ＨＴＭＬ表示画面例を示す説明図である。
【符号の説明】
【００３６】
１      ＷＥＢサーバ
２      インターネット（ネットワーク）
３      パソコン
３１    ネットワーク接続部
３３    ＨＤＤ
３３１  ＷＥＢブラウザ
３３２  データ送受信手段
３３３  タグ解析手段（解析手段）
３３４  ＨＴＭＬ表示手段（表示手段）
３３５  アンカータグ検出手段
３３６  操作タグ変更手段
３４    制御部
５      表示部
【図１】
2009169883.tif 000003
【図２】
2009169883.tif 000004
【図３】
2009169883.tif 000005
【図４】
2009169883.tif 000006
【図５】
2009169883.tif 000007
【図６】
2009169883.tif 000008
【図７】
2009169883.tif 000009
【図８】
2009169883.tif 000010
【図９】
2009169883.tif 000011
【図１０】
2009169883.tif 000012